(57)【要約】【課題】高精細度ＰＤＰ表示装置であっても、安定した書込み放電を発生させることができ、高速で安定した画像表示を行うことができることを目的とする。【解決手段】放電セルで初期化放電を発生させる初期化期間と書込み放電を発生させる書込み期間と維持放電を発生させる維持期間とを有する複数のサブフィールドで１フィールドを構成し、初期化期間において、維持電極に第１の電圧を印加し、データ電極に基準電圧を印加するとともに走査電極に上り傾斜波形電圧を印加し、維持電極に第１の電圧より高い電圧を印加し、データ電極に基準電圧より低い電圧を印加するとともに走査電極に下り傾斜波形電圧を印加する。【選択図】図３
2009265465.tif 000002
【特許請求の範囲】
【請求項１】
走査電極と維持電極とからなる表示電極対とデータ電極とを有する放電セルを複数備えたプラズマディスプレイパネルの駆動方法であって、
前記放電セルで初期化放電を発生させる初期化期間と書込み放電を発生させる書込み期間と維持放電を発生させる維持期間とを有する複数のサブフィールドで１フィールドを構成し、
前記初期化期間において、前記維持電極に第１の電圧を印加し、前記データ電極に基準電圧を印加するとともに前記走査電極に上り傾斜波形電圧を印加し、
前記維持電極に前記第１の電圧より高い電圧を印加し、前記データ電極に前記基準電圧より低い電圧を印加するとともに前記走査電極に下り傾斜波形電圧を印加することを特徴とするプラズマディスプレイパネルの駆動方法。
【請求項２】
前記初期化期間において、前記維持電極に前記第１の電圧より高い第２の電圧、前記第２の電圧から前記第２の電圧より高い第３の電圧まで上昇する上り傾斜波形電圧、前記第３の電圧を順次印加することを特徴とする、
請求項１に記載のプラズマディスプレイパネルの駆動方法。
【請求項３】
前記書込み期間において、前記維持電極に前記初期化期間終了時に前記維持電極に印加されている電圧と同じ、もしくは、前記維持電極に前記初期化期間終了時に前記維持電極に印加されている電圧より前記初期化期間に前記データ電極に印加する前記基準電圧と前記基準電圧より低い電圧との差の絶対値分高い電圧以下、かつ、前記絶対値分低い電圧以上の範囲内の電圧を印加することを特徴とする、
請求項１または２に記載のプラズマディスプレイパネルの駆動方法。
【請求項４】
走査電極と維持電極とからなる表示電極対とデータ電極とを有する放電セルを複数備えたプラズマディスプレイパネルと、
前記プラズマディスプレイパネルを制御する制御部とを有するプラズマディスプレイパネル表示装置であって、
前記制御部は、前記放電セルで初期化放電を発生させる初期化期間と書込み放電を発生させる書込み期間と維持放電を発生させる維持期間とを有する複数のサブフィールドで１フィールドを構成し、
前記初期化期間において、前記維持電極に第１の電圧を印加し、前記データ電極に基準電圧を印加するとともに前記走査電極に上り傾斜波形電圧を印加し、
前記維持電極に前記第１の電圧より高い電圧を印加し、前記データ電極に前記基準電圧より低い電圧を印加するとともに前記走査電極に下り傾斜波形電圧を印加することを特徴とするプラズマディスプレイパネル表示装置。
【請求項５】
前記初期化期間において、前記維持電極に前記第１の電圧より高い第２の電圧、前記第２の電圧から前記第２の電圧より高い第３の電圧まで上昇する上り傾斜波形電圧、前記第３の電圧を順次印加することを特徴とする、
請求項４に記載のプラズマディスプレイパネル表示装置。
【請求項６】
前記書込み期間において、前記維持電極に前記初期化期間終了時に前記維持電極に印加されている電圧と同じ、もしくは、前記維持電極に前記初期化期間終了時に前記維持電極に印加されている電圧より前記初期化期間に前記データ電極に印加する前記基準電圧と前記基準電圧より低い電圧との差の絶対値分高い電圧以下、かつ、前記絶対値分低い電圧以上の範囲内の電圧を印加することを特徴とする、
請求項４または５に記載のプラズマディスプレイパネル表示装置。
【発明の詳細な説明】
【技術分野】
【０００１】
本発明は、壁掛けテレビや大型モニターに用いられるプラズマディスプレイパネル表示装置とその駆動方法に関する。
【背景技術】
【０００２】
現在、プラズマディスプレイパネル（以下、「ＰＤＰ」と略記する）表示装置において、交流面放電型ＰＤＰ表示装置が代表的存在となっている。交流面放電型ＰＤＰ表示装置には、前面基板と背面基板とを対向配置することにより、多数の放電セルが形成されている。以下、交流面放電型ＰＤＰ表示装置の構成について説明する。
【０００３】
前面基板上には、一対の走査電極と維持電極とからなる表示電極対が、互いに平行になるよう複数対形成されている。また、前面基板上には、表示電極対を覆うように、誘電体層および保護層が積層されて形成されている。背面基板上には、データ電極が互いに平行になるよう複数形成されている。また、背面基板上には、データ電極を覆うように、誘電体層が形成され、更にその上には、井桁状の隔壁が形成されている。誘電体層の上面と隔壁の側面とからなる空間には、赤色、緑色、青色にそれぞれ発光する蛍光体層が設けられている。
【０００４】
上記のようにして形成された前面基板と背面基板とは、表示電極対とデータ電極とが立体交差するように、微小な放電空間を挟んで対向配置され、その外周部は封着材により封着される。内部の放電空間には、放電ガスが封入される。このようにして、表示電極対とデータ電極とが交差する部分には、放電セルが形成される。各放電セル内においては、ガス放電により紫外線を発生させ、この紫外線により各蛍光体を励起発光させて、カラー表示を行う。
【０００５】
ＰＤＰ表示装置の駆動方法としては、サブフィールド法、すなわち、１フィールド期間を複数のサブフィールドに分割し、発光させるサブフィールドの組み合わせによって階調表示を行う方法が一般的である。各サブフィールドには、初期化期間、書込み期間、および、維持期間を有する。
【０００６】
初期化期間では、表示電極対である走査電極および維持電極に、所定の電圧を印加して初期化放電を発生させ、次の書込み放電に必要な壁電荷を各電極上に形成する。書込み期間では、走査電極に走査パルスを順次印加するとともに、発光させるべき放電セルのデータ電極に書込みパルスを印加して書込み放電を発生させ、各電極上に壁電荷を形成する。維持期間では、走査電極と維持電極とに交互に維持パルスを印加し、書込み放電を起こした放電セルで維持放電を発生させて、放電ガスを励起する。励起された放電ガスが安定状態に遷移する時に発生する紫外線により、蛍光体層が励起されて可視光線が発生し、これにより画像表示を行う。
【０００７】
このようなＰＤＰ表示装置の駆動方法の中で、書込み期間における、走査電極に印加する走査パルスの電圧および維持電極の電圧を、初期化波形の印加終了時における走査電極の電圧および維持電極の電圧よりも低く設定することにより、データ電極駆動回路の耐電圧を下げてコストを低減するとともに、データ電極駆動回路の消費電力を低減する方法が開示されている（例えば、特許文献１参照）。
【０００８】
また、初期化期間において、全ての放電セルで初期化放電を発生させる回数を制限することにより、階調表示に関係しない発光を極力減らして、コントラスト比を向上させる方法が開示されている（例えば、特許文献２参照）。
【特許文献１】特開２０００−３０５５１０号公報
【特許文献２】特開２０００−２４２２２４号公報
【発明の開示】
【発明が解決しようとする課題】
【０００９】
しかしながら、全ての放電セルで初期化放電を発生させる回数を制限すると、書込み放電が不安定となり、維持放電すべき放電セルで維持放電が発生しない、あるいは、維持放電すべきでない放電セルで維持放電が発生するといった誤動作が発生する恐れがあった。特に近年では、ＰＤＰ表示装置の高精細度化が進み、放電セルが微細になるにつれて、この傾向が強くなってきている。また、高精細度化による走査電極数の増加に伴い、駆動の高速化が必要になってきている。
【００１０】
本発明は上記課題に鑑みてなされたものであり、高精細度ＰＤＰ表示装置であっても、安定した書込み放電を発生させることができ、高速で安定した画像表示を行うことができるＰＤＰ表示装置とその駆動方法を提供することを目的とする。
【課題を解決するための手段】
【００１１】
上記目的を達成するために、本発明のＰＤＰ表示装置とその駆動方法は、走査電極と維持電極とからなる表示電極対とデータ電極とを有する放電セルを複数備えたＰＤＰ表示装置とその駆動方法であって、放電セルで初期化放電を発生させる初期化期間と書込み放電を発生させる書込み期間と維持放電を発生させる維持期間とを有する複数のサブフィールドで１フィールドを構成し、初期化期間において、維持電極に第１の電圧を印加し、データ電極に基準電圧を印加するとともに走査電極に上り傾斜波形電圧を印加し、維持電極に第１の電圧より高い電圧を印加し、データ電極に基準電圧より低い電圧を印加するとともに走査電極に下り傾斜波形電圧を印加することを特徴とする。この方法により、高精細度ＰＤＰ表示装置であっても、安定した書込み放電を発生させることができ、高速で安定した画像表示を行うことができる。
【００１２】
また、初期化期間において、維持電極に第１の電圧より高い第２の電圧、第２の電圧から第２の電圧より高い第３の電圧まで上昇する上り傾斜波形電圧、第３の電圧を順次印加してもよい。
【発明の効果】
【００１３】
本発明によれば、高精細度ＰＤＰ表示装置であっても、安定した書込み放電を発生させることができ、高速で安定した画像表示を行うことができるＰＤＰ表示装置とその駆動方法を提供することが可能となる。
【発明を実施するための最良の形態】
【００１４】
以下、本発明の実施の形態について、図面を用いて説明する。
【００１５】
（実施の形態１）
図１は、本発明の実施の形態１に係るＰＤＰ１０の構造を示す分解斜視図である。図１に示すように、ガラス製の前面基板１１上には、走査電極１２と維持電極１３とからなる表示電極対１４が、互いに平行になるよう複数形成されている。また、前面基板１１上には、表示電極対１４を覆うように、誘電体層１５および保護層１６が積層されて形成されている。背面基板２１上には、データ電極２２が互いに平行になるよう複数形成されている。また、背基板２１上には、データ電極２２を覆うように、誘電体層２３が形成され、更にその上には、井桁状の隔壁２４が形成されている。誘電体層２３の上面と隔壁２４の側面とからなる空間には、赤色、緑色、青色にそれぞれ発光する蛍光体層２５が設けられている。
【００１６】
上記のようにして形成された前面基板１１と背面基板２１とは、表示電極対１４とデータ電極２２とが立体交差するように、微小な放電空間を挟んで対向配置され、その外周部は、ガラスフリット等の封着材により封着されている。内部の放電空間には、例えば、ネオンとキセノンの混合ガスが、放電ガスとして封入され、隔壁２４により複数の空間に区画されている。このようにして、本実施の形態１に係るＰＤＰ１０が構成され、表示電極対１４とデータ電極２２とが交差する部分に、放電セルが形成される。各放電セル内においては、ガス放電により発生させた紫外線で各蛍光体を励起発光させて、カラー表示を行う。
【００１７】
図２は、本発明の実施の形態１に係るＰＤＰ１０の電極配列図である。図２に示すように、本実施の形態１に係るＰＤＰ１０には、走査電極１２（ＳＣ１〜ＳＣｎ）および維持電極１３（ＳＵ１〜ＳＵｎ）が行方向に配置され、データ電極２２（Ｄ１〜Ｄｍ）が列方向に配列されている。図２において、放電セルは、例えば、一対の走査電極ＳＣ２および維持電極ＳＵ２と、１つのデータ電極Ｄ２とが交差した部分に形成されており、全体としてはｍ×ｎ個形成されていることになる。
【００１８】
次に、本実施の形態１に係るＰＤＰ１０を駆動するための駆動電圧波形とその動作について説明する。
【００１９】
本実施の形態１に係るＰＤＰ１０を用いたＰＤＰ表示装置では、サブフィールド法、すなわち、１フィールド期間を複数のサブフィールドに分割し、サブフィールド毎に各放電セルの発光・非発光を制御することによって階調表示を行う。各サブフィールドには、初期化期間、書込み期間、および、維持期間を有する。
【００２０】
初期化期間では、表示電極対１４である走査電極１２および維持電極１３に所定の電圧を印加して初期化放電を発生させ、次の書込み放電に必要な壁電荷を各電極上に形成する。本実施の形態１における初期化動作には、全ての放電セルで初期化放電を発生させる初期化動作（以下、「全セル初期化動作」と略記する）と、直前のサブフィールドで維持放電を行った放電セルでのみ初期化放電を発生させる初期化動作（以下、「選択初期化動作」と略記する）とがある。例えば、１フィールドを１０のサブフィールド（第１ＳＦ、第２ＳＦ、・・・、第１０ＳＦ）に分割し、各サブフィールドには、それぞれ輝度重み（１、２、３、６、１１、１８、３０、４４、６０、８０）を持たせる。第１ＳＦの初期化期間では、全セル初期化動作を行い、第２ＳＦ〜第１０ＳＦの初期化期間では、選択初期化動作を行う。
【００２１】
書込み期間では、走査電極１２に走査パルスを順次印加するとともに、発光させるべき放電セルのデータ電極２２に、選択的に書込みパルスを印加して書込み放電を発生させ、各電極上に壁電荷を形成する。
【００２２】
維持期間では、輝度重みに比例した数の維持パルスを走査電極１２と維持電極１３とに交互に印加して、書込み放電を発生させた放電セルで輝度重みに比例した維持放電を発生させ、放電ガスを励起する。励起された放電ガスが安定状態に遷移する時に発生する紫外線により、蛍光体層２５が励起されて可視光線が発生し、これにより画像表示を行う。
【００２３】
図３は、本発明の実施の形態１におけるＰＤＰ１０の各電極に印加する駆動電圧の波形図である。以下、図３を用いて、本実施の形態１における全セル初期化動作を行うサブフィールドと、選択初期化動作を行うサブフィールドとについて、詳細に説明する。なお、図３においては、全セル初期化動作を行うサブフィールドを第１ＳＦ、選択初期化動作を行うサブフィールドを第２ＳＦとしているが、これに限られることはない。
【００２４】
＜全セル初期化動作を行うサブフィールド＞
初期化期間の期間Ｔ１では、データ電極Ｄ１〜Ｄｍに基準電圧である０Ｖを印加し、維持電極ＳＵ１〜ＳＵｎに第１の電圧として０Ｖを印加する。走査電極ＳＣ１〜ＳＣｎには、放電開始電圧以下の電圧Ｖｉ１から放電開始電圧を超える電圧Ｖｉ２に向かって、緩やかに上昇する上り傾斜波形電圧を印加する。この間、走査電極ＳＣ１〜ＳＣｎと維持電極ＳＵ１〜ＳＵｎとの間、および、走査電極ＳＣ１〜ＳＣｎとデータ電極Ｄ１〜Ｄｍとの間で、微弱な初期化放電が起こる。これにより、走査電極ＳＣ１〜ＳＣｎ上には、負の壁電圧が蓄積されるとともに、データ電極Ｄ１〜Ｄｍ上および維持電極ＳＵ１〜ＳＵｎ上には、正の壁電圧が蓄積される。ここで、電極上の壁電圧とは、電極を覆う誘電体層上、保護層上、蛍光体層上等に蓄積された壁電荷により生じる電圧を表す。
【００２５】
初期化期間の期間Ｔ２では、データ電極Ｄ１〜Ｄｍには、基準電圧０Ｖより低い電圧Ｖｔを印加する。このため、データ電極Ｄ１〜Ｄｍ上の正の壁電圧は、基準電圧０Ｖを印加した場合と比較して、電圧Ｖｔの絶対値分だけ高くなる。また、維持電極ＳＵ１〜ＳＵｎには、第１の電圧０Ｖより高い第２の電圧Ｖｅ２を印加する。走査電極ＳＣ１〜ＳＣｎには、放電開始電圧以下の電圧Ｖｉ３から放電開始電圧を超える電圧Ｖｉ４に向かって、緩やかに下降する下り傾斜波形電圧を印加する。この間、走査電極ＳＣ１〜ＳＣｎと維持電極ＳＵ１〜ＳＵｎとの間、および、走査電極ＳＣ１〜ＳＣｎとデータ電極Ｄ１〜Ｄｍとの間で、微弱な初期化放電が起こる。これにより、走査電極ＳＣ１〜ＳＣｎ上の負の壁電圧および維持電極ＳＵ１〜ＳＵｎ上の正の壁電圧が弱められるとともに、データ電極Ｄ１〜Ｄｍ上の正の壁電圧は書込み動作に適した値に調整され、全ての放電セルに対して初期化放電を行う全セル初期化動作を終了する。
【００２６】
続く書込み期間では、まず、走査電極ＳＣ１〜ＳＣｎに電圧Ｖｃを印加する。期間Ｔ３において、走査電極ＳＣ１〜ＳＣｎと維持電極との間、および、走査電極ＳＣ１〜ＳＣｎとデータ電極Ｄ１〜Ｄｍとの間で発生した放電によるプライミングが収束する。この後、データ電極Ｄ１〜Ｄｍに基準電圧である０Ｖを印加し、維持電極ＳＵ１〜ＳＵｎには、第１の電圧０Ｖより高い電圧Ｖｅ４を印加する。
【００２７】
次に、１行目の走査電極ＳＣ１に、電圧Ｖａを持つ走査パルスを印加するとともに、発光させるべき放電セルのデータ電極Ｄｋ（ｋは１〜ｍのいずれか）に、書込みパルス電圧Ｖｄを印加する。この時、データ電極Ｄｋと走査電極ＳＣ１との交差部の電圧差は、外部印加電圧の差（書込みパルス電圧Ｖｄ−走査パルス電圧Ｖａ）にデータ電極Ｄｋ上の壁電圧と走査電極ＳＣ１上の壁電圧との差を加算したものとなり、放電開始電圧を超える。これにより、データ電極Ｄｋと走査電極ＳＣ１との間で放電が開始されて、後に維持電極ＳＵ１と走査電極ＳＣ１との間の放電に進展し、書込み放電が起こる。その結果、走査電極ＳＣ１上には、正の壁電圧が蓄積され、維持電極ＳＵ１上およびデータ電極Ｄｋ上には、負の壁電圧が蓄積される。
【００２８】
一方、書き込みパルス電圧Ｖｄを印加しなかったデータ電極と走査電極ＳＣ１との交差部の電圧は、放電開始電圧を超えないので、書込み放電は発生しない。
【００２９】
次に、１行目の書込み動作終了後、２行目の走査電極ＳＣ２に、電圧Ｖａを持つ走査パルスを印加するとともに、発光させるべき放電セルのデータ電極Ｄｋに、書込みパルス電圧Ｖｄを印加する。この時、走査パルス電圧Ｖａと書込みパルス電圧Ｖｄとが同時に印加された２行目の放電セルでは、書込み放電が発生し、書込み動作が行われる。
【００３０】
上記書込み動作をｎ行目の放電セルに至るまで繰り返し、発光させるべき放電セルに対して選択的に書込み放電を発生させて、各電極上に壁電荷を形成する。
【００３１】
維持期間では、まず、走査電極ＳＣ１〜ＳＣｎに正の維持パルス電圧Ｖｓを印加するとともに、維持電極ＳＵ１〜ＳＵｎに第１の電圧０Ｖを印加する。この時、書込み放電を起こした放電セルでは、走査電極ＳＣｉ（ｉは１〜ｎのいずれか）と維持電極ＳＵｉ（ｉは１〜ｎのいずれか）との電圧差が、維持パルス電圧Ｖｓに走査電極ＳＣｉ上の壁電圧と維持電極ＳＵｉ上の壁電圧との差を加算したものとなり、放電開始電圧を超える。これにより、走査電極ＳＣｉと維持電極ＳＵｉとの間で維持放電が起こる。その結果、走査電極ＳＣｉ上には、負の壁電圧が蓄積され、維持電極ＳＵｉ上およびデータ電極Ｄｋ上には、正の壁電圧が蓄積される。
【００３２】
一方、書込み期間において、書込み放電が起きなかった放電セルでは、維持放電は発生せず、初期化期間の終了時における各電極上の壁電圧が保たれる。
【００３３】
次に、走査電極ＳＣ１〜ＳＣｎに０Ｖを印加し、維持電極ＳＵ１〜ＳＵｎに正の維持パルス電圧Ｖｓを印加する。この時、維持放電を起こした放電セルでは、維持電極ＳＵｉと走査電極ＳＣｉとの電圧差が放電開始電圧を超えるので、再び維持電極ＳＵｉと走査電極ＳＣｉとの間に維持放電が起こる。その結果、維持電極ＳＵｉ上には、負の壁電圧が蓄積され、走査電極ＳＣｉ上およびデータ電極Ｄｋ上には、正の壁電圧が蓄積される。
【００３４】
以降同様に、走査電極ＳＣ１〜ＳＣｎと維持電極ＳＵ１〜ＳＵｎとに、交互に輝度重みに輝度倍率を乗じた数の維持パルスを印加し、走査電極ＳＣ１〜ＳＣｎと維持電極ＳＵ１〜ＳＵｎとの間に電位差を与えることにより、書込み期間において書込み放電を起こした放電セルで、維持放電が継続して行われる。
【００３５】
維持期間の最後には、走査電極ＳＣ１〜ＳＣｎと維持電極ＳＵ１〜ＳＵｎとの間に、パルス状または傾斜状の電圧差を与えて、データ電極Ｄｋ上の正の壁電圧を残したまま、走査電極ＳＣｉ上および維持電極ＳＵｉ上の壁電圧を消去する。こうして、維持期間における維持動作を終了する。
【００３６】
＜選択初期化動作を行うサブフィールド＞
選択初期化動作は、直前のサブフィールドの維持期間で維持動作を行った放電セルに対して、選択的に初期化放電を行う動作である。
【００３７】
選択初期化を行う初期化期間では、全セル初期化動作を行う初期化期間の期間Ｔ２と同様の駆動を行う。
【００３８】
すなわち、データ電極Ｄ１〜Ｄｍには、基準電圧０Ｖより低い電圧Ｖｔを印加する。このため、全セル初期化動作を行うサブフィールドと同様、データ電極Ｄ１〜Ｄｍ上の正の壁電圧が、基準電圧０Ｖを印加した場合と比較して、電圧Ｖｔの絶対値分だけ高くなる。また、維持電極ＳＵ１〜ＳＵｎには、第１の電圧０Ｖより高い第２の電圧Ｖｅ２を印加する。走査電極ＳＣ１〜ＳＣｎには、放電開始電圧以下の電圧Ｖｉ３から放電開始電圧を超える電圧Ｖｉ４に向かって、緩やかに下降する下り傾斜波形電圧を印加する。この間、前のサブフィールドの維持期間で維持放電を起こした放電セルでは、微弱な初期化放電が発生し、走査電極ＳＣｉ上の壁電圧、および、維持電極ＳＵｉ上の壁電圧が弱められる。データ電極Ｄｋに対しては、直前の維持放電によりデータ電極Ｄｋ上に十分な正の壁電圧が蓄積されているので、過剰分が放電されて書込み動作に適した壁電圧に調整される。
【００３９】
一方、前のサブフィールドで維持放電を起こさなかった放電セルについては、放電することはなく、前のサブフィールドの初期化期間終了時における各電極上の壁電荷がそのまま保たれる。
【００４０】
書込み期間の動作は、全セル初期化動作を行うサブフィールドの書込み期間の動作と同じであり、維持期間の動作も維持パルスの数を除いて、全セル初期化動作を行うサブフィールドの維持期間の動作と同じであるため、説明を省略する。
【００４１】
また、次のサブフィールドにおいても、上述した選択初期化動作を行うサブフィールドの動作と同様であるため、説明を省略する。
【００４２】
このように、本実施の形態１では、初期化期間の期間Ｔ２において、データ電極Ｄ１〜Ｄｍに基準電圧０Ｖよりも低い電圧Ｖｔを印加したことにより、データ電極Ｄ１〜Ｄｍ上の正の壁電圧が、基準電圧０Ｖを印加した場合と比較して、電圧Ｖｔの絶対値分だけ高くなる。そのため、データ電極Ｄｋと走査電極ＳＣ１との交差部の電圧差が高くなり、高速で安定した書込み放電を発生させることができる。
【００４３】
なお、本実施の形態１において、走査電極ＳＣ１〜ＳＣｎに印加する電圧Ｖｉ１は１８０Ｖ、電圧Ｖｉ２は４２０Ｖ、電圧Ｖｉ３は１８０Ｖ、電圧Ｖｉ４は−１００Ｖ、走査パルス電圧Ｖａは−１００Ｖとした。維持電極ＳＵ１〜ＳＵｎに印加する第２の電圧Ｖｅ２は１５０Ｖ、第４の電圧Ｖｅ４は１５０Ｖとした。走査電極ＳＣ１〜ＳＣｎおよび維持電極ＳＵ１〜ＳＵｎに印加する維持パルス電圧Ｖｓは１８０Ｖとした。データ電極Ｄ１〜Ｄｍに印加する電圧Ｖｔは−１０Ｖ、書込みパルス電圧Ｖｄは７０Ｖとした。走査電極ＳＣ１〜ＳＣｎに印加する上り傾斜波形電圧および下り傾斜波形電圧の傾斜は、ともに１０Ｖ／μ以下とした。上記電圧値は上述した値に限られることはなく、ＰＤＰの放電特性やＰＤＰ表示装置の仕様に基づいて最適に設定することが望ましい。例えば、図３において、第４の電圧Ｖｅ４を第２の電圧Ｖｅ２と同一電圧値としているが、第２の電圧Ｖｅ２より電圧Ｖｔの絶対値分高い電圧以下、かつ、電圧Ｖｔの絶対値分低い電圧以上の範囲内の電圧であってもよい。また、走査パルス電圧Ｖａを電圧Ｖｉ４と同一電圧値としているが、電圧Ｖｉ４とは異なる電圧、例えば、電圧Ｖｉ４より低い電圧であってもよい。
【００４４】
本実施の形態１において、サブフィールド数や各サブフィールドの輝度重みの値は上記に限られることはない。また、画像信号等に基づいてサブフィールド構成を切換える構成であってもよい。また、ＰＤＰ１０の構造は上記に限られることはなく、例えば、ストライプ状の隔壁２４を備えたものであってもよい。
【００４５】
（実施の形態２）
本発明の実施の形態２は、全セル初期化動作を行うサブフィールドの初期化期間の期間Ｔ２、および、選択初期化動作を行うサブフィールドの初期化期間において、維持電極ＳＵ１〜ＳＵｎに印加する駆動電圧の波形が、実施の形態１と異なる。なお、本発明の実施の形態２に用いるＰＤＰの構造および電極配列は、図１および図２に示したＰＤＰ１０の構造および電極配列と同様であるので、説明を省略する。
【００４６】
図４は、本発明の実施の形態２におけるＰＤＰ１０の各電極に印加する駆動電圧の波形図である。以下、図４を用いて、本実施の形態２における全セル初期化動作を行うサブフィールドと、選択初期化動作を行うサブフィールドについて、詳細に説明する。なお、図４においては、全セル初期化動作を行うサブフィールドを第１ＳＦ、選択初期化動作を行うサブフィールドを第２ＳＦとしているが、これに限られることはない。
【００４７】
＜全セル初期化動作を行うサブフィールド＞
初期化期間の期間Ｔ１１は、実施の形態１における期間Ｔ１と同様である。すなわち、データ電極Ｄ１〜Ｄｍに基準電圧である０Ｖを印加し、維持電極ＳＵ１〜ＳＵｎに第１の電圧として０Ｖを印加する。走査電極ＳＣ１〜ＳＣｎには、放電開始電圧以下の電圧Ｖｉ１から放電開始電圧を超える電圧Ｖｉ２に向かって、緩やかに上昇する上り傾斜波形電圧を印加する。この間、走査電極ＳＣ１〜ＳＣｎと維持電極ＳＵ１〜ＳＵｎとの間、および、走査電極ＳＣ１〜ＳＣｎとデータ電極Ｄ１〜Ｄｍとの間で、微弱な初期化放電が起こる。これにより、走査電極ＳＣ１〜ＳＣｎ上には、負の壁電圧が蓄積されるとともに、データ電極Ｄ１〜Ｄｍ上および維持電極ＳＵ１〜ＳＵｎ上には、正の壁電圧が蓄積される。
【００４８】
初期化期間の期間Ｔ１２〜期間Ｔ１４では、データ電極Ｄ１〜Ｄｍには、基準電圧０Ｖより低い電圧Ｖｔを印加する。このため、本実施の形態２でも、初期化期間の期間Ｔ１２〜期間Ｔ１４において、データ電極Ｄ１〜Ｄｍ上の正の壁電圧は、基準電圧０Ｖを印加した場合と比較して、電圧Ｖｔの絶対値分だけ高くなる。また、走査電極ＳＣ１〜ＳＣｎには、放電開始電圧以下の電圧Ｖｉ３から放電開始電圧を超える電圧Ｖｉ４に向かって、緩やかに下降する下り傾斜波形電圧を印加する。維持電極ＳＵ１〜ＳＵｎには、第１の電圧Ｖ０より高い第２の電圧Ｖｅ２、第２の電圧Ｖｅ２から第３の電圧Ｖｅ３まで上昇する上り傾斜波形電圧、および、第３の電圧Ｖｅ３を、順次印加する。以下、その詳細について説明する。
【００４９】
初期化期間の期間Ｔ１２では、維持電極ＳＵ１〜ＳＵｎに、第１の電圧０Ｖより高い正の第２の電圧Ｖｅ２を印加する。この間、走査電極ＳＣ１〜ＳＣｎと維持電極ＳＵ１〜ＳＵｎとの間では、微弱な初期化放電が開始される。
【００５０】
初期化期間の期間Ｔ１３では、維持電極ＳＵ１〜ＳＵｎに、第２の電圧Ｖｅ２より高い第３の電圧Ｖｅ３に向かって、第２の電圧Ｖｅ２から緩やかに上昇する上り傾斜波形電圧を印加する。この間、走査電極ＳＣ１〜ＳＣｎと維持電極ＳＵ１〜ＳＵｎとの間の微弱な初期化放電により、走査電極ＳＣ１〜ＳＣｎ上の負の壁電圧、および、維持電極ＳＵ１〜ＳＵｎ上の正の壁電圧が弱められる。
【００５１】
初期化期間の期間Ｔ１４では、維持電極ＳＵ１〜ＳＵｎに、正の第３の電圧Ｖｅ３を印加する。この間、走査電極ＳＣ１〜ＳＣｎと維持電極ＳＵ１〜ＳＵｎとの間の微弱な初期化放電に加えて、走査電極ＳＣ１〜ＳＣｎとデータ電極Ｄ１〜Ｄｍとの間でも、微弱な初期化放電が起こる。これにより、走査電極ＳＣ１〜ＳＣｎ上の負の壁電圧、および、維持電極ＳＵ１〜ＳＵｎ上の正の壁電圧が弱められるとともに、データ電極Ｄ１〜Ｄｍ上の正の壁電圧は書込み動作に適した値に調整され、全ての放電セルに対して初期化放電を行う全セル初期化動作を終了する。
【００５２】
書込み期間および維持期間は、実施の形態１と同様であるため、説明を省略する。
【００５３】
＜選択初期化動作を行うサブフィールド＞
選択初期化を行う初期化期間では、全セル初期化動作を行う初期化期間のＴ１２〜期間Ｔ１４と同様の駆動を行う。すなわち、データ電極Ｄ１〜Ｄｍには、基準電圧０Ｖより低い電圧Ｖｔを印加する。このため、全セル初期化動作を行うサブフィールドと同様、データ電極Ｄ１〜Ｄｍ上の正の壁電圧は、基準電圧０Ｖを印加した場合と比較して、電圧Ｖｔの絶対値分だけ高くなる。また、走査電極ＳＣ１〜ＳＣｎには、放電開始電圧以下の電圧Ｖｉ３から放電開始電圧を超える電圧Ｖｉ４に向かって、緩やかに下降する下り傾斜波形電圧を印加する。維持電極ＳＵ１〜ＳＵｎには、第１の電圧０Ｖより高い第２の電圧Ｖｅ２、第２の電圧Ｖｅ２から第３の電圧Ｖｅ３まで上昇する上り傾斜波形電圧、および、第３の電圧Ｖｅ３を、順次印加する。この間、前のサブフィールドの維持期間で維持放電を起こした放電セルでは、微弱な初期化放電が発生し、走査電極ＳＣｉ上の壁電圧、および、維持電極ＳＵｉ上の壁電圧が弱められる。データ電極Ｄｋに対しては、直前の維持放電によりデータ電極Ｄｋ上に十分な正の壁電圧が蓄積されているので、過剰分が放電されて書込み動作に適した壁電圧に調整される。
【００５４】
一方、前のサブフィールドで維持放電を起こさなかった放電セルについては、放電することはなく、前のサブフィールドの初期化期間終了時における各電極上の壁電荷がそのまま保たれる。
【００５５】
書込み期間の動作は、全セル初期化動作を行うサブフィールドの書込み期間の動作と同じであり、維持期間の動作も維持パルスの数を除いて、全セル初期化動作を行うサブフィールドの維持期間の動作と同じであるため、説明を省略する。
【００５６】
また、次のサブフィールドにおいても、上述した選択初期化動作を行うサブフィールドの動作と同様であるため、説明を省略する。
【００５７】
このように、本実施の形態２では、初期化期間の期間Ｔ２において、データ電極Ｄ１〜Ｄｍに基準電圧０Ｖよりも低い電圧Ｖｔを印加したことにより、データ電極Ｄ１〜Ｄｍ上の正の壁電圧が、基準電圧０Ｖを印加した場合と比較して、電圧Ｖｔの絶対値分だけ高くなる。そのため、データ電極Ｄｋと走査電極ＳＣ１との交差部の電圧差が高くなり、高速で安定した書込み放電を発生させることができる。
【００５８】
なお、図４において、第４の電圧Ｖｅ４を第３の電圧Ｖｅ３より低い電圧値としているが、第３の電圧Ｖｅ３より電圧Ｖｔの絶対値分高い電圧以下、かつ、電圧Ｖｔの絶対値分低い電圧以上の範囲内の電圧であってもよい。また、図４において、走査パルス電圧Ｖａを電圧Ｖｉ４と同一電圧値として示しているが、電圧Ｖｉ４とは異なる電圧、例えば電圧Ｖｉ４より低い電圧であってもよい。
【００５９】
次に、本実施の形態２における駆動電圧波形を発生させるための駆動回路を一例として、本発明のＰＤＰ表示装置の駆動方法について説明する。
【００６０】
図５は、本発明の実施の形態２におけるＰＤＰ表示装置１００の回路ブロック図である。図５に示すように、本実施の形態２におけるＰＤＰ表示装置１００は、ＰＤＰ１０、画像信号処理回路３１、データ電極駆動回路３２、走査電極駆動回路３３、維持電極駆動回路３４、タイミング発生回路３５、および、各回路ブロックに必要な電源を供給するための電源回路（図示せず）を備えている。
【００６１】
画像信号処理回路３１は、入力された画像信号を、サブフィールド毎の発光・非発光を示す画像データに変換する。データ電極駆動回路３２は、画像信号処理回路３１より送られてきたサブフィールド毎の画像データを、各データ電極Ｄ１〜Ｄｍに対応する信号に変換し、データ電極Ｄ１〜Ｄｍを駆動する。タイミング発生回路３５は、水平同期信号および垂直同期信号に基づいて、各回路ブロックの動作を制御する各種のタイミング信号を発生させ、各回路ブロックへ送信する。走査電極駆動回路３３は、タイミング発生回路３５より送られてきたタイミング信号に基づいて、各走査電極ＳＣ１〜ＳＣｎをそれぞれ駆動する。維持電極駆動回路３４は、タイミング発生回路３５より送られてきたタイミング信号に基づいて、各維持電極ＳＵ１〜ＳＵｎを駆動する。
【００６２】
図６は、本発明の実施の形態２におけるデータ電極駆動回路３２の回路図、図７は、本発明の実施の形態２における走査電極駆動回路３３の回路図、図８は、本発明の実施の形態２における維持電極駆動回路３４の回路図である。
【００６３】
図６に示すように、本実施の形態２におけるデータ電極駆動回路３２は、書込みパルス電圧Ｖｄのフローティング電源Ｅ４１と、フローティング電源Ｅ４１の高圧側の電圧をそれぞれ対応するデータ電極Ｄ１〜Ｄｍに印加するためのスイッチング素子Ｑ４５Ｈ１〜Ｑ４５Ｈｍと、フローティング電源Ｅ４１の低圧側の電圧をそれぞれ対応するデータ電極Ｄ１〜Ｄｍに印加するためのスイッチング素子Ｑ４５Ｌ１〜Ｑ４５Ｌｍと、フローティング電源Ｅ４１の低圧側の電圧を０Ｖに固定するスイッチング素子Ｑ４１およびＱ４２と、フローティング電源Ｅ４１の低圧側の電圧を電圧Ｖｄに固定するスイッチング素子Ｑ４３とを有する。
【００６４】
図７に示すように、本実施の形態２における走査電極駆動回路３３は、維持パルス発生回路５０、初期化波形発生回路６０、および、走査パルス発生回路７０を備えている。維持パルス発生回路５０は、走査電極ＳＣ１〜ＳＣｎに維持パルス電圧Ｖｓを印加するためのスイッチング素子Ｑ５５と、走査電極ＳＣ１〜ＳＣｎに電圧０Ｖを印加するためのスイッチング素子Ｑ５６と、走査電極ＳＣ１〜ＳＣｎに維持パルスを印加する際の電力を回収するための電力回収部５９とを有する。初期化波形発生回路６０は、走査電極ＳＣ１〜ＳＣｎに上り傾斜波形電圧を印加するためのミラー積分回路６１と、走査電極ＳＣ１〜ＳＣｎに下り傾斜波形電圧を印加するためのミラー積分回路６２とを有する。なお、スイッチング素子Ｑ６３およびスイッチング素子Ｑ６４は、他のスイッチング素子の寄生ダイオード等を介して電流が逆流することを防ぐために設けている。走査パルス発生回路７０は、書込みＩＣに印加する電圧Ｖｓｃｎのフローティング電源Ｅ７１と、フローティング電源Ｅ７１の高圧側の電圧をそれぞれ対応する走査電極ＳＣ１〜ＳＣｎに印加するためのスイッチング素子Ｑ７２Ｈ１〜Ｑ７２Ｈｎと、フローティング電源Ｅ７１の低圧側の電圧をそれぞれ対応する走査電極ＳＣ１〜ＳＣｎに印加するためのスイッチング素子Ｑ７２Ｌ１〜Ｑ７２Ｌｎと、フローティング電源Ｅ７１の低圧側の電圧を走査パルス電圧Ｖａに固定するスイッチング素子Ｑ７３とを有する。
【００６５】
図８に示すように、本実施の形態２における維持電極駆動回路３４は、維持パルス発生回路８０、および、初期化・書込み電圧発生回路９０を備えている。維持パルス発生回路８０は、維持電極ＳＵ１〜ＳＵｎに維持パルス電圧Ｖｓを印加するためのスイッチング素子Ｑ８５と、維持電極ＳＵ１〜ＳＵｎに電圧０Ｖを印加するためのスイッチング素子Ｑ８６と、維持電極ＳＵ１〜ＳＵｎに維持パルスを印加する際の電力を回収するための電力回収部８９とを有する。初期化・書込み電圧発生回路９０は、維持電極ＳＵ１〜ＳＵｎに第２の電圧Ｖｅ２を印加するためのスイッチング素子Ｑ９２およびダイオードＤ９２と、維持電極ＳＵ１〜ＳＵｎに第３の電圧Ｖｅ３に向かって緩やかに上昇する上り傾斜波形電圧を印加するためのミラー積分回路９３およびダイオードＤ９３と、維持電極ＳＵ１〜ＳＵｎに第４の電圧Ｖｅ４を印加するためのスイッチング素子Ｑ９４およびダイオードＤ９４とを有する。
【００６６】
なお、これらのスイッチング素子は、ＭＯＳＦＥＴやＩＧＢＴ等の、一般に知られた素子を用いて構成することができる。
【００６７】
次に、データ電極駆動回路３２、走査電極駆動回路３３、および、維持電極駆動回路３４の動作について説明する。
【００６８】
図９は、本発明の実施の形態２におけるＰＤＰ１０の各電極に印加する駆動電圧の波形を示す詳細図である。なお、本実施の形態２において、電圧Ｖｉ１および電圧Ｖｉ３は、ともに維持パルス電圧Ｖｓに等しいとして説明する。
【００６９】
＜期間Ｔ１１＞
時刻ｔ１において、走査電極駆動回路３３のスイッチング素子Ｑ５５をオンにすると、スイッチング素子Ｑ５５、Ｑ６３、Ｑ６４、Ｑ７２Ｌ１〜Ｑ７２Ｌｎを介して、走査電極ＳＣ１〜ＳＣｎには、放電開始電圧以下のＶｉ１（電圧Ｖｓ）が印加される。その後、スイッチング素子Ｑ６３をオフにして、ミラー積分回路６１を動作させると、走査電極ＳＣ１〜ＳＣｎには、放電開始電圧以下のＶｉ１（電圧Ｖｓ）から放電開始電圧を超える電圧Ｖｉ２に向かって、緩やかに上昇する上り傾斜波形電圧が印加される。
【００７０】
この間、データ電極駆動回路３２のスイッチング素子Ｑ４１をオン、スイッチング素子Ｑ４５Ｌ１〜Ｑ４５Ｌｍをオンにすると、データ電極Ｄ１〜Ｄｍには、基準電圧である０Ｖが印加される。
【００７１】
維持電極駆動回路３４のスイッチング素子Ｑ８６をオンにすると、維持電極ＳＵ１〜ＳＵｎには、第１の電圧として０Ｖが印加される。
【００７２】
走査電極ＳＣ１〜ＳＣｎと維持電極ＳＵ１〜ＳＵｎとの間、および、走査電極ＳＣ１〜ＳＣｎとデータ電極Ｄ１〜Ｄｍとの間では、微弱な初期化放電が起こる。これにより、走査電極ＳＣ１〜ＳＣｎ上には、負の壁電圧が蓄積されるとともに、データ電極Ｄ１〜Ｄｍ上および維持電極ＳＵ１〜ＳＵｎ上には、正の壁電圧が蓄積される。
【００７３】
＜期間Ｔ１２＞
時刻ｔ２において、走査電極駆動回路３３のミラー積分回路６１を停止させ、スイッチング素子Ｑ５５、Ｑ６３をオンにすると、走査電極ＳＣ１〜ＳＣｎには、放電開始電圧以下のＶｉ３（電圧Ｖｓ）が印加される。その後、スイッチング素子Ｑ６４をオフにすると、ミラー積分回路６２が動作し、走査電極ＳＣ１〜ＳＣｎには、放電開始電圧以下のＶｉ３（電圧Ｖｓ）から電開始電圧を超える電圧Ｖｉ４に向かって、緩やかに下降する下り傾斜波形電圧が印加される。この下り傾斜波形電圧は、期間Ｔ１２〜期間Ｔ１４にわたって、走査電極ＳＣ１〜ＳＣｎに印加される。
【００７４】
データ電極駆動回路３２のスイッチング素子Ｑ４１をオフ、スイッチング素子Ｑ４３をオンにすると、データ電極Ｄ１〜Ｄｍには、基準電圧０Ｖより低い電圧Ｖｔが印加される。この電圧Ｖｔは、期間Ｔ１２〜期間Ｔ１５にわたって、データ電極Ｄ１〜Ｄｍに印加される。
【００７５】
維持電極駆動回路３４のスイッチング素子Ｑ８６をオフ、スイッチング素子Ｑ９２をオンにすると、維持電極ＳＵ１〜ＳＵｎには、第１の電圧０Ｖより高い正の第２の電圧Ｖｅ２が印加される。
【００７６】
この間、走査電極ＳＣ１〜ＳＣｎと維持電極ＳＵ１〜ＳＵｎとの間では、微弱な初期化放電が開始される。
【００７７】
＜期間Ｔ１３＞
時刻ｔ３において、維持電極駆動回路３４のミラー積分回路９３を動作させると、維持電極ＳＵ１〜ＳＵｎには、第２の電圧Ｖｅ２から第２の電圧Ｖｅ２より高い第３の電圧Ｖｅ３に向かって、緩やかに上昇する上り傾斜波形電圧が印加される。
【００７８】
この間、走査電極ＳＣ１〜ＳＣｎと維持電極ＳＵ１〜ＳＵｎとの間の微弱な初期化放電により、走査電極ＳＣ１〜ＳＣｎ上の負の壁電圧、および、維持電極ＳＵ１〜ＳＵｎ上の正の壁電圧が弱められる。
【００７９】
＜期間Ｔ１４＞
時刻ｔ４において、維持電極ＳＵ１〜ＳＵｎに印加される電圧が第３の電圧Ｖｅ３まで上昇すると、その後、第３の電圧Ｖｅ３に保持される。
【００８０】
この間、走査電極ＳＣ１〜ＳＣｎと維持電極ＳＵ１〜ＳＵｎとの間の微弱な初期化放電に加えて、走査電極ＳＣ１〜ＳＣｎとデータ電極Ｄ１〜Ｄｍとの間でも、微弱な初期化放電が起こる。これにより、走査電極ＳＣ１〜ＳＣｎ上の負の壁電圧、および、維持電極ＳＵ１〜ＳＵｎ上の正の壁電圧が弱められるとともに、データ電極Ｄ１〜Ｄｍ上の正の壁電圧は書込み動作に適した値に調整される。
【００８１】
なお、本実施の形態２では、時刻ｔ２から時刻ｔ４の間では、走査電極ＳＣ１〜ＳＣｎとデータ電極Ｄ１〜Ｄｍとの間に放電は発生しないが、時刻ｔ４以降になると、放電が発生する。また、時刻ｔ３は、時刻ｔ４から遡って、１０Ｖ／μ以下の傾斜をつける波形を開始できる時刻として設定されている。
【００８２】
＜期間Ｔ１５＞
走査電極ＳＣ１〜ＳＣｎに印加される電圧が下降して、放電開始電圧を超える電圧Ｖｉ４となった時刻ｔ５において、走査電極駆動回路３３のスイッチング素子Ｑ７３をオンにするとともに、走査パルス発生回路７０のスイッチング素子Ｑ７２Ｌ１〜Ｑ７２Ｌｎをオフ、スイッチング素子Ｑ７２Ｈ１〜Ｑ７２Ｈｎをオンにすると、走査電極ＳＣ１〜ＳＣｎには、電圧（Ｖａ＋Ｖｓｃｎ）が印加される。ここで、電圧（Ｖａ＋Ｖｓｃｎ）とは、図４に示した電圧Ｖｃである。
【００８３】
期間１５において、走査電極ＳＣ１〜ＳＣｎと維持電極ＳＵ１〜ＳＵｎとの間、および、走査電極ＳＣ１〜ＳＣｎとデータ電極Ｄ１〜Ｄｍとの間で発生した放電によるプライミングが収束する。この後、データ電極駆動回路３２のスイッチング素子Ｑ４３をオフ、スイッチング素子Ｑ４１、Ｑ４２をオンにすると、データ電極Ｄ１〜Ｄｍには、基準電圧０Ｖが印加される。維持電極駆動回路３４のスイッチング素子Ｑ９２をオフ、ミラー積分回路９３を停止するとともに、スイッチング素子Ｑ９４をオンにすると、維持電極ＳＵ１〜ＳＵｎには、第４の電圧Ｖｅ４が印加される。
【００８４】
なお、期間Ｔ１５は、５μｓ〜５０μｓの間で設定することが望ましい。
【００８５】
このように、図６〜図８に示した各駆動回路を用いて、本発明のＰＤＰ表示装置とその駆動方法を実現することができる。
【００８６】
なお、本発明のＰＤＰ表示装置の駆動回路は、図３および図４に示した駆動電圧波形を実現できるものであれば、上記に限定されることはない。
【００８７】
また、上記実施の形態２におけるＰＤＰ表示装置とその駆動方法を適用する際、維持電極ＳＵ１〜ＳＵｎに印加する第２の電圧Ｖｅ２の値と第４の電圧Ｖｅ４の値とが異なるものとして説明したが、第２の電圧Ｖｅ２の値と第４の電圧Ｖｅ４の値とを等しくする場合には、初期化・書込み電圧発生回路９０のスイッチング素子Ｑ９４、ダイオードＤ９４を省略してもよい。
【００８８】
また、実施の形態１におけるＰＤＰ表示装置とその駆動方法を適用する場合には、初期化・書込み電圧発生回路９０のミラー積分回路９３、ダイオードＤ９３を省略してもよい。
【００８９】
また、実施の形態１、２において用いた具体的な各数値は、単に一例を挙げたにすぎず、ＰＤＰの特性やＰＤＰ表示装置の仕様等に合わせて、適宜、最適な値に設定することが望ましい。
【産業上の利用可能性】
【００９０】
本発明は、高精細度ＰＤＰ表示装置であっても、安定した書込み放電を発生させ、高速で安定した画像表示を行うことができるので、ＰＤＰ表示装置とその駆動方法として有用である。
【図面の簡単な説明】
【００９１】
【図１】本発明の実施の形態１に係るＰＤＰの構造を示す分解斜視図
【図２】本発明の実施の形態１に係るＰＤＰの電極配列図
【図３】本発明の実施の形態１におけるＰＤＰの各電極に印加する駆動電圧の波形図
【図４】本発明の実施の形態２におけるＰＤＰの各電極に印加する駆動電圧の波形図
【図５】本発明の実施の形態２におけるＰＤＰ表示装置の回路ブロック図
【図６】本発明の実施の形態２におけるデータ電極駆動回路の回路図
【図７】本発明の実施の形態２における走査電極駆動回路の回路図
【図８】本発明の実施の形態２における維持電極駆動回路の回路図
【図９】本発明の実施の形態２におけるＰＤＰの各電極に印加する駆動電圧の波形を示す詳細図
【符号の説明】
【００９２】
１０    ＰＤＰ
１１    前面基板
１２    走査電極
１３    維持電極
１４    表示電極対
１５，２３    誘電体層
１６    保護層
２１    背面基板
２２    データ電極
２４    隔壁
２５    蛍光体層
３１    画像信号処理回路
３２    データ電極駆動回路
３３    走査電極駆動回路
３４    維持電極駆動回路
３５    タイミング発生回路
５０，８０    維持パルス発生回路
５９，８９    電力回収部
６０    初期化波形発生回路
６１，６２，９３    ミラー積分回路
７０    走査パルス発生回路
９０    初期化・書込み電圧発生回路
１００    ＰＤＰ表示装置
【図１】
2009265465.tif 000003
【図２】
2009265465.tif 000004
【図３】
2009265465.tif 000005
【図４】
2009265465.tif 000006
【図５】
2009265465.tif 000007
【図６】
2009265465.tif 000008
【図７】
2009265465.tif 000009
【図８】
2009265465.tif 000010
【図９】
2009265465.tif 000011